(57)【要約】【課題】茶漉し網部の強度をアップさせて破損や型崩れの防止を図り、かつ新鮮な美感を与えることにより商品価値の向上を図った茶漉し器を提供することである。【解決手段】本体に茶漉し用の網部を有し、該本体の上縁部外周に、茶容器の上面開口端に装着されるフランジを有して成る茶漉し器において、前記本体の周壁及び／又は底壁の骨格を合成樹脂材により形成すると共に、前記骨格間に前記網部を幾何学的模様に形成する。【選択図】図１
2004236728.tif 000002
【特許請求の範囲】
【請求項１】
本体に茶漉し用の網部を有し、該本体の上縁部外周に、茶容器の上面開口端に装着されるフランジを有して成る茶漉し器において、前記本体の周壁及び／又は底壁の骨格を合成樹脂材により形成すると共に、前記骨格間に前記網部を幾何学的模様に形成して成ることを特徴とする茶漉し器。
【請求項２】
前記網部は前記骨格と一体成形されていることを特徴とする請求項１記載の茶漉し器。
【請求項３】
前記合成樹脂材は透明ないし半透明であることを特徴とする請求項１又は請求項２記載の茶漉し器。
【請求項４】
前記フランジに、前記本体を前記茶容器に着脱するための把手を回動自在に設けたことを特徴とする請求項１乃至請求項３のいずれかに記載の茶漉し器。
【発明の詳細な説明】
【０００１】
【発明の属する技術分野】
本発明は、緑茶、紅茶、ハーブティー等の茶葉に湯を注いで茶を漉すための茶漉し器の改良に関する。
【０００２】
【従来の技術】
従来、ティーポット、カップ、急須あるいは湯呑み等の茶容器の内部に装着し、茶葉を入れてから湯を注いで茶を漉す茶漉し器は、通常、金網を半球殻状に形成し、口縁部にフランジ状の縁取金具を周設して成る茶漉し器が、一般に使用されてきた。
【０００３】
ところが、上述した従来の金網製の茶漉し器は製造コストが高く、かつ重いため、最近では比較的安価に製造することができ、かつ軽量な非金属製の茶漉し器が多く使用されている。
【０００４】
図４はその一例を示す側面図で、この茶漉し器５０は、本体５１の周壁５２及び底壁５３を、合成繊維不織布製の茶漉し網５４で籠状に形成し、本体５１の上端の縁部５５に、茶容器（図示せず）の口縁部に装着されるフランジ５６を一体成形により設け、このフランジ５６の上部に熱可塑性合成樹脂部５７を設けて成る茶容器５０が公知である（例えば、特許文献１参照。）。
【０００５】
【特許文献１】
実開平６−４５６０６号公報
【０００６】
【発明が解決しようとする課題】
ところが、この茶漉し器５０は、茶漉し網５４が合成繊維不織布製の細い糸で形成されているために強度が弱く、このため茶殻を捨てる場合等に、物にぶつけたり、あるいは洗浄等で少し強めに洗ったりすると茶漉し網５４が破れたり、型崩れを起こすという欠陥があった。また、茶漉し網５４が平凡な形状の網目で形成されているに過ぎず、茶漉し器５０全体として格別見栄えのするものではなかったので、商品価値的にも特に優れたものとは言えなかった。
【０００７】
本発明は上記実情に鑑みてなされたもので、その目的とするところは、茶漉し網部の強度をアップさせて破損や型崩れの防止を図り、かつ新鮮な美感を与えることにより商品価値の向上を図った茶漉し器を提供することである。
【０００８】
【課題を解決するための手段】
本発明の上記目的は、本体に茶漉し用の網部を有し、該本体の上縁部外周に茶容器の上面開口端に装着されるフランジを有して成る茶漉し器において、前記本体の周壁及び／又は底壁の骨格を合成樹脂材により形成すると共に、前記骨格間に前記網部を幾何学的模様に形成して成る茶漉し器を提供することにより達成される。
【０００９】
また、本発明の上記目的は、前記網部は前記骨格と一体成形されて成ることを茶漉し器を提供することによっても達成される。
【００１０】
また、本発明の上記目的は、前記合成樹脂材は透明ないし半透明である茶漉し器を提供することにより、より効果的に達成される。
【００１１】
さらにまた、前記フランジに、前記本体を前記茶容器に着脱するための把手を回動自在に設けた茶漉し器を提供することにより、より効果的に達成される。
【００１２】
【発明の実施の形態】
以下、図面を参照しながら、本発明の好ましい実施形態について説明する。
図１は、本発明の第１実施例である茶漉し器１の斜視図である。この茶漉し器１は、全体形状が、平面視で円形状に、側面視で下に凸状の台形状に作られ、本体２の周壁３及び底壁４には合成樹脂材による格子状の骨格５が形成されている。この骨格５間の開口部には、骨格５と同一の素材により一体成形された矩形状の網部６が形成され、この網部６によって本体２が、上面開口７を除き、塞がれた構造となっている。本体２の上面開口７の周縁には、後述する茶容器の上面開口端に装着されるフランジ８が設けられており、このフランジ８には支軸９を介して把手１０が回動自在に設けられている。
【００１３】
格子状の骨格５及び網部６には、比較的安価で、耐熱性、耐蝕性、機械的強度等の面で優れた特性を有する、例えばポリプロピレン、ポリエチレン、ナイロン等の公知の合成樹脂材が好ましく用いられる。なお、このような合成樹脂材は茶漉し器１に入れた茶葉の様子を外部から見えるようにするため、透明ないし半透明に形成し得る合成樹脂材であることが好ましい。なお、この合成樹脂に色素を含有させることにより、一段と美感を向上させることができる。
【００１４】
このように、本茶漉し器１は、本体２の骨格５及び網部６が上述したような特性を有する合成樹脂材で形成されているので、本体２の強度が増し、たとえ外力が加わっても、破損や型崩れを起こすことがないという効果がある。
【００１５】
また、本茶漉し器１は、網部６が本体２の周壁及び底壁４に幾何学的模様で形成されているので、全体的に見栄えが良く、商品価値としても優れたものである。
【００１６】
また、本体２が透明ないし半透明の合成樹脂材で構成されているので、茶葉の様子を外部から見ることができ、便利である。
【００１７】
さらにまた、本体２の上面開口端に、把手１０が回動自在に付設されているので、茶漉し器１を茶容器２０に容易に着脱することができる。この把手１０は、特に湯を注いで数分間蒸らした後、茶殻を引き上げるハーブティーを漉す場合に、一層効果が発揮される。
【００１８】
以上のとおり、構成された本茶漉し器１は図２に破断断面図で示すように、ティーポット等の茶容器２０の上記開口縁部２１にフランジ８が装着されて使用される。
【００１９】
図３は、本発明の第２実施例に係る茶漉し器１Ａを示す斜視図である。本茶漉し器１Ａの本体２Ａは、前記第１実施例と同様に、合成樹脂材により本体が形成されているが、網部の構造が相違している。なお、その他の構成は第１実施例のものと同一であるので、以下では同一構成要素には同一の符号を付して説明する。
【００２０】
即ち、本茶漉し器１Ａは、全体形状が、平面視で円形状に、側面視で下に凸状の台形状に作られ、本体２Ａの周壁３及び底壁４には円形状の網部６が骨格５により幾何学的模様に形成され、この網部６によって本体２Ａが、上面開口７を除き、塞がれた構造になっている。
【００２１】
本茶漉し器１Ａは、以上のとおり構成されているので、前記第１実施例と同様の効果を奏する。さらに、網部６が円形状の幾何学的模様に形成されているので、本茶漉し器１Ａ全体として見栄えがよく、商品価値的に優れたものである。
【００２２】
なお、本発明における網部の形状は前記矩形状や円形状に限らず、この他三角形状、菱形状、楕円状、星形状等の任意の形状とすることも可能である。
【００２３】
また、本発明の内容を、骨格と網部が一体成形される場合について説明してきたが、本発明はこのような一体成形される場合に限らず、例えば、骨格と網部を別々に作り、両者を張着するという手段等によっても形成することができる。
【００２４】
さらにまた、本発明にいう「茶」には、緑茶のみならず、紅茶、ハーブティー、ジャスミン茶等の公知の嗜好飲料も含まれる。
【００２５】
【発明の効果】
以上に詳述したように、本発明に係る茶漉し器によれば、強度に優れているので、破損や型崩れを起こさず、また、美感に優れ、見栄えが良いので、商品価値的にも優れた茶漉し器を提供することができるようになる。
【図面の簡単な説明】
【図１】本発明の第１実施例に係る茶漉し器１の斜視図を示す。
【図２】本発明の第１実施例係る茶漉し器１を使用した状態時の茶容器２０を示す破断断面図である。
【図３】本発明の第２実施例に係る茶漉し器１Ａの斜視図を示す。
【図４】従来技術における茶漉し器５０を示す斜視図である。
【符号の説明】
１，１Ａ          茶漉し器
２，２Ａ，５１    茶漉し器本体
５                骨格
６                網部
８                フランジ
１０              把手
２０，５０        茶容器
２１              開口縁部
【図１】
2004236728.tif 000003
【図２】
2004236728.tif 000004
【図３】
2004236728.tif 000005
【図４】
2004236728.tif 000006